(57)【要約】【課題】  パック剤や顔蒸し部材等の顔を活性化させる部材を顔に当てた上で顔を覆い外気を遮断して美容効果を高める顔マスクであり、多様な顔に合わせて顔全体を被覆しながら薄いパック剤でも剥がれ落ちずに顔に留め置くことも、分厚くなる蒸し部材も挟み置くこともでき、手間を掛けずに電子レンジを使って顔蒸し部材を短時間で温められることを目的としている。【解決手段】  顔面を被うことができる大きさを持つカバー部１の両側部に、該カバー部１を顔に固定するための止着部材４を摺動自在に係止した挿通部３を形成するとともに、鼻該当位置に呼吸孔２を形成した顔マスクにおいて、前記カバー部１は通気性がなく柔軟性のあるシートで形成され、前記挿通部３は耳側側部と上端縁部と下端縁部との間にそれぞれ必要とする間隔をあけて形成され、前記止着部材４がカバー部１の上面から顔に固定されるように取り付けられ、鼻より額にかけて形状保持部材５が配設されて構成されている。【選択図】図１
2008125708.tif 000002
【特許請求の範囲】
【請求項１】
顔面を被うことができる大きさを持つカバー部１の両側部に、該カバー部１を顔に固定するための止着部材４を摺動自在に係止した挿通部３を形成するとともに、鼻該当位置に呼吸孔２を形成した顔マスクにおいて、前記カバー部１は通気性がなく柔軟性のあるシートで形成され、前記挿通部３は耳側側部と上端縁部と下端縁部との間にそれぞれ必要とする間隔をあけて形成され、前記止着部材４がカバー部１の上面から顔に固定されるように取り付けられたことを特徴とする顔マスク。
【請求項２】
前記止着部材４で絞られることにより形状が崩れてしまうカバー部１の形状を保持するために、鼻より額にかけて形状保持部材５を配設したことを特徴とする請求項１記載の顔マスク。
【請求項３】
顔面を被うことができる大きさを持つカバー部１’の両側部に、該カバー部１’を顔に固定するための止着部材４’を摺動自在に係止した挿通部３’を形成するとともに、鼻該当位置に呼吸孔２’を形成した顔マスクにおいて、前記カバー部１’は通気性がなく柔軟性のあるシートで形成され、前記止着部材４’により絞られることで形状が崩れてしまうカバー部１’の形状を保持するために、鼻より額にかけて形状保持部材５’が配設されたことを特徴とする顔マスク。
【請求項４】
前記カバー部１および１’の下端縁部より呼吸孔に向かって任意の長さに切り込みを入れ、切込線１２と下端縁部との交わる角１３を切り欠き、切込線１２同士と切欠線１４同士を互いに係合したことを特徴とする請求項１ないし請求項３いずれかに記載の顔マスク。
【請求項５】
通気性がなく柔軟性のあるシートで形成される前記カバー部１および１’のシートが、電磁波の通りやすい素材で作られたことを特徴とする請求項１ないし請求項４いずれかに記載の顔マスク。
【発明の詳細な説明】
【技術分野】
【０００１】
本発明はパック剤や顔蒸し部材等の顔を活性化させる部材を顔に当てた上で顔を覆い外気を遮断して美容効果を高める顔マスクに関する。
【背景技術】
【０００２】
従来出願されている肌を活性化させる美容のためのマスクとしては、タオル地等に湯を含ませた顔蒸し部材を置いた顔の上に、顔を覆うことができる大きさであって中央に呼吸孔と鼻部フッドが形成されるマスクを被せ、パック剤の作用効果を促進させる顔蒸し用マスク（例えば特許文献１参照）や、顔面を覆うことができるマスクの両側部に取り付けられる止着部材を頭部に廻し掛けて顔を覆い、夜間の乾燥を防ぎ、つけられる化粧剤を有効に作用させ、寝具の汚れを防ぐことができるようにした美容マスク（例えば特許文献２参照）や、本願出願人の肌に最高の効果を与えるために必要な１０分という時間を継続させるため、マスクに保温性を持たせ、蒸気発生体に水分をできるだけ多く含ませておくべく下部に貯蔵部を形成して、滴り落ちる湯が顔が正面を向いてもマスクの外に流れ出ないように形成して長い間顔を蒸しておける美容器具（例えば特許文献３参照）等がある。
また、両側部に止着部材を挿通させ耳にかけたり頭部に掛け渡したりして装着するものとしては、眼帯や鼻と口を覆うマスク等が一般に知られている。
【０００３】
しかしながら、特許文献１は止着部材がないため上向いた状態の顔には使用できるが、正面を向いた顔では落ちてしまい使用できない。理髪店や美容院等のように椅子に寝かされ上向いた状体で使用するには良いが家庭においては不向きと思われる。
顔を覆うマスクを何らかの止着部材を使用して顔に被せ止めおくには、顔マスクの側部に取り付けられる紐体等の止着部材を頭部に廻し掛けるか、耳に掛けて取り付けることになる。
顔マスクと顔との間に挟まれる顔を活性化させる部材が分厚ければ、顔マスクと顔のあいだに少しぐらいのゆとりがあったとしても何とか部材を挟んでおけるが、パック剤はたいがい薄いものであり、顔に張りつくものであれば剥がれ落ちる心配はないが、張りつかない場合、顔を立てた状態で使用すれば顔マスクの額に当たる部分がしっかり顔にフィットしていないと、顔マスクと顔との間に遊びが出来てパック剤は付けたところに留まっていないで剥がれ落ちてしまう。
【０００４】
眼帯や鼻と口を覆う通常マスクと呼ばれているものと同じように両側部に止着部材を挿通して、耳に掛けたり頭部に掛け渡したりして顔に固定する方法に於いては、目や鼻と口を覆う場合は覆う部分が顔の中の一部分に限られるので面積が狭く、マスクの両側辺に紐体を取り付け耳に掛けるだけで必要部分をしっかり覆うことが出来るが、薄めの素材で形成される大きなシートの両側辺を紐体等によって絞ると中央部分も絞られた形状になって横じわができてしまう。顔全体を覆う大きさの顔マスクとなると、上下の端部を必要箇所に係止できる手立てをしておかないと、顔マスクの中央部を開いた状態にしておくことは難しい。下端部は顎の下にマスクの下端縁部が掛けられるので前記した難は逃れることが出来るが、額の部分には掛けておけるところが何もないのでそのままでは額を覆っておくことは無理な状況になる。  
【０００５】
鼻と口のマスクであれば大きさが一定であっても紐体で長さ調節をすれば必要箇所は覆われて全ての人が使用出来るが、顔マスクの場合、挟んだ物を押さえ持たせなければならないために額の部分をフィットさせながら様々な大きさである顔に対応させなければならない。
顔マスクを大きめに形成して付けられる紐体等で調節すると、小さめの顔の人は顔マスクの額の部分に遊びができてしまう。また、顔マスクを小さめに形成して付けられる紐体等で調節すると、大きめの顔の人は耳と顔マスクとの間に覆われない部分が出来てしまう。
【０００６】
特許文献２のマスクに於いては、片側２箇所づつの点で止着部材がマスクの両側部に取り付けられることになるが、額に当たる部分をフィットさせるためには上部に取り付けられる止着部材を額に当たる部分の横部に位置させなければならない。上部の位置が限定されるとなると、使う人の顔の大きさは様々なので止着部材が取り付けられる上部と下部との２点の間のマスクに浮いてしまう部分がでてくることも考えられる。上部と下部との２点の間を連結し挿通自在に止着部材を取り付ければ、浮いてしまう側部がギャザーされることになり顔マスクの側部が浮くことなく顔にフィットさせることが出来る。
【０００７】
また、特許文献３に於いては、毛穴を開かせたあとパック剤等により同じような行為を続けていけば総計すると１０分以上肌を蒸したに近い状態にすることができるので、蒸し時間が短縮されれば多くの湯を含ませておく必要がなく溢れ落ちる湯を心配しないで済む。また、マスク自体に保温効果を持たせてあるが、保温部材を使用することは電磁波の通りが阻害されることである。電磁波が通り易い素材を使用すれば蒸し部材をマスクで挟んで電子レンジで温めようとしたとき短時間で温められる。マスクに保温効果がなくともその上に保温効果のあるマスクを更に被れば同じ効果が得られる。
【０００８】
【特許文献１】実全  昭６３−１９７５３８号
【特許文献２】実開  Ｓ５４−１４５３７７号
【特許文献３】特願２００６−１３７２９８号
【発明の開示】
【発明が解決しようとする課題】
【０００９】
本発明は以上のような従来の欠点に鑑み、同形の顔マスクでありながら、小さめの顔の人でも、大きめの顔の人でも、多様な顔に合わせて顔全体を被覆しながら薄いパック剤でも、分厚くなる蒸し部材も挟み置くことができ、また、手間を掛けずに電子レンジを使って蒸し部材を短時間で温められると共に、熱くなった蒸し部材に直接手を触れることなく顔蒸しができ、安価で提供できる顔マスクを提供することを目的としている。
本発明の前記ならびにその他の目的と新規な特徴は次の説明を添付図面と照らし合わせて読むと、より完全に明らかになるであろう。
但し、図面はもっぱら解説のためのものであって、本発明の技術的範囲を限定するものではない。
【課題を解決するための手段】
【００１０】
請求項１の顔マスクは、顔面を被うことができる大きさを持つカバー部１の両側部に、該カバー部１を顔に固定するための止着部材４を摺動自在に係止した挿通部３を形成するとともに、鼻該当位置に呼吸孔２を形成した顔マスクにおいて、前記カバー部１は通気性がなく柔軟性のあるシートで形成され、前記挿通部３は耳側側部と上端縁部と下端縁部との間にそれぞれ必要とする間隔をあけて形成され、前記止着部材４がカバー部１の上面から顔に固定されるように取り付けて形成することにより、保湿性が高く、顔にフィットし、挿通部３が縁部より内側の奥まったところに形成され、止着部材４が摺動自在に取り付けられるので、同形のマスクでありながら、小さめ大きめの多様な顔に使用でき、薄いパック剤でも分厚い蒸し部材でも挟み置くことが出来る。
【００１１】
請求項２の顔マスクは、前記止着部材４で絞られることにより形状が崩れてしまうカバー部１の形状を保持するために、鼻より額にかけて形状保持部材５を配設することにより、止着部材４により絞られて中央部にできる横じわにより額の部分がずり落ちてきてしまって額を覆っておけない状態になる時でも、形状保持部材５が配設されることで額の部分を覆っておくことができる。  
【００１２】
請求項３の顔マスクは、顔面を被うことができる大きさを持つカバー部１’の両側部に、該カバー部１’を顔に固定するための止着部材４’を摺動自在に係止した挿通部３’を形成するとともに、鼻該当位置に呼吸孔２’を形成した顔マスクにおいて、前記カバー部１’は通気性がなく柔軟性のあるシートで形成され、前記止着部材４’により絞られることで形状が崩れてしまうカバー部１’の形状を保持するために、鼻より額にかけて形状保持部材５’を配設して形成することにより、止着部材４’が挿通する範囲を幅広くとるとカバー部１’に横じわができ易くなり、狭くすると額の部分を覆うことができなくなる可能性があるが、形状保持部材５’を配設することにより挿通部３によって絞られる幅が広くなっても額の部分を覆うことができる。
【００１３】
請求項４の顔マスクは、前記カバー部１および１’の下端縁部より呼吸孔に向かって任意の長さに切り込みを入れ、切込線１２と下端縁部との交わる角１３を切り欠き、切込線１２同士と切欠線１４同士を互いに係合して形成することにより、マスクの下端部分が顎に沿った形状となると共に袋状となり、蒸し部材の絞りが少し甘くて下部に湯が溜まってしまっても溢れさせることなく顔蒸しができる。
【００１４】
請求項５の顔マスクは、通気性がなく柔軟性のあるシートで形成される前記カバー部１および１’のシートを、電磁波の通りやすい素材で形成することにより、蒸し部材を温めるとき、電子レンジを使用して簡単に温められ、熱くなった蒸し部材に手を触れることなく顔蒸しができる。
【発明の効果】
【００１５】
以上の説明から明らかなように、本発明にあっては次に列挙する効果が得られる。
（１）顔面を被うことができる大きさを持つカバー部１の両側部に、該カバー部１を顔に固定するための止着部材４を摺動自在に係止した挿通部３を形成するとともに、鼻該当位置に呼吸孔２を形成した顔マスクにおいて、前記カバー部１は通気性がなく柔軟性のあるシートで形成されることにより構成されている。
【００１６】
（２）前記（１）によって、ただ単なるシートで作成できるので安価で提供でき、顔にフィットし易く、外気と遮断することで皮膚からの水分の蒸発を抑えることができる。通常使用している肌に合う化粧水をたっぷり付け、その上に図７に示す目の孔が開けられ水を含ませ軽く絞ったガーゼ１０（ぬらしても呼吸ができる厚みであり、厚いときは呼吸孔を形成）を顔に当てて、その上を本出願の顔マスクで覆うとパック剤を準備しなくとも簡単にパックをすることができるので経済的に済ますことができる。そのようにしてパックをする場合、覆うことなくパックを三分以上続けると皮膚からの水分蒸発により却って肌に悪影響を与えることになるがそれを防ぐことができ、納得いくまでパックをすることができる。
【００１７】
（３）前記（１）によって、カバー部１に透明な部材を使用することにより、パック剤で眼がふさがらなければ、曇りが少し出るもののパックの最中テレビを見たり、スクワットなど軽い柔軟体操ができたり、食器洗いなど簡単な作業をすることが可能なので時間を有意義に過ごすことができる。
【００１８】
（４）前記（１）によって、蒸し部材を温めマスク内にセットすれば顔蒸しができる。
（５）前記（１）によって、カバー部１が保温効果を持たせることなく形成されることになるが、少しでも蒸し時間を延長したいときは、アルミ箔に保温効果のある部材を裏打ちした保温性のあるカバー等で覆えば蒸し時間を延長することが可能である。
【００１９】
（６）前記挿通部３は耳側側部と上端縁部と下端縁部との間にそれぞれ必要とする間隔をあけて形成され、前記止着部材４がカバー部１の上面から顔に固定されるように取り付けられて構成されている。
【００２０】
（７）前記（６）によって、止着部材４によって絞られる範囲を狭くすることにより、中央部分にできる横じわを少なくしながら顔全面を覆うことができる。
【００２１】
（８）前記（６）によって、挿通部３の上端部が額の部分近くに位置されるので、顔全てを覆いながら額の部分をフィットさせて薄いパック剤でも額に留め置くことができ、止着部材４に伸縮性のある部材を使用すれば分厚い蒸し部材でも挟み置くことができる。
【００２２】
（９）前記（６）によって、カバー部の側部を必要面積より少し大きめに形成することにより、顔蒸しをするとき側部を持ってマスクを取り扱うことができる。持っていられる部分がしっかりしていれば安心して取り扱え、例え蒸し部材が熱くなりすぎても始めのうちは顔近くに持っていって蒸気だけで顔を温め、冷めてきたら顔に当てることもできる。
【００２３】
（１０）前記（６）によって、使用する人の顔は多様であっても、顔マスクを大中小と各サイズに合わせて製作しなくとも止着部材４の長さ調節によって小さめの顔の人でも額の部分をフィットさせ薄いパック剤でも留め置き保持することができ、大きめの顔の人でも耳横部分を覆うことができる。パックも顔蒸しもできるので、始めに顔を蒸し毛穴が開き血行がよくなった後に引き続きパックをすればより効果を挙げることができる。
【００２４】
（１１）前記止着部材４で絞られることにより形状が崩れてしまうカバー部１の形状を保持するために、鼻より額にかけて形状保持部材５を配設して構成しているので、従って、上記記載の効果に加えて、例え止着部材４の絞りが強くなり横じわが出来てマスクの上部が額を覆っていられなくなる状態になっても形状保持部材５を配設することにより、横じわを作らず顔にフィットさせながら固定することができパック剤のように薄いものでも外れ落さず留め置くことができる。
【００２５】
（１２）前記カバー部１’は通気性がなく柔軟性のあるシートで形成され、前記止着部材４’により絞られることで形状が崩れてしまうカバー部１’の形状を保持するために、鼻より額にかけて形状保持部材５’が配設されたことで構成されているので、従って、両側辺部に取り付けられる止着部材４’により絞られる範囲が幅広くなることで、マスクの中央部にできる横じわが多くなり額の部分を覆うことが難しくなるが、形状保持部材５’が配設されることによりカバー部１’を必要箇所に留めおくことができ、横じわ状態を作ることなく顔にフィットさせて固定できる。
（１３）前記（２）〜（５）と同様な効果が得られる。
【００２６】
（１４）前記カバー部１および１’の下端縁部より呼吸孔に向かって任意の長さに切り込みを入れ、切込線１２と下端縁部との交わる角１３を切り欠き、切込線１２同士と切欠線１４同士を互いに係合して構成されているので、従って、上記記載の効果に加えて、角１３を切り欠くことで顎に沿った形になり顎の奥深くまでマスクが行き渡ると共に、袋状になって形成されるので、顔蒸しをする際、蒸し部材の絞りが少し甘かったとしても、使用中下方に落ちてきて溜まる湯分を溢れさせることなく顔蒸しができる。
【００２７】
（１５）通気性がなく柔軟性のあるシートで形成される前記カバー部１および１’のシートが、電磁波の通りやすい素材で作られたことで構成されているので、従って、上記記載の効果に加えて、蒸し部材を温めるには熱い湯を含ませて絞るか、電子レンジで温めるかすることになるが、前者に於いては、熱い湯を含んだ蒸し部材を絞ることは苦痛を伴うことであり、後者に於いては、電磁波が通りにくいマスクであれば蒸し部材のみを電子レンジで温め熱くなった蒸し部材をマスクにセットすることになるので、熱い蒸し部材に手を触れなければならない。電磁波の通りやすい素材で作ればカバー部の内部に顔蒸し用部材を挟んで電子レンジで温めることができ、一分程度温めるだけで使用するに良い温度となり熱い蒸し部材に手を触れることなく手間を掛けずに顔蒸しができる。アルミ箔等のような断熱性のある部材を使用したカバーの中に入れて取り扱えば熱さに対して、尚、楽な取扱ができる。
【実施例１】
【００２８】
以下、図面に示す実施するための最良の形態により、本発明を詳細に説明する。
図１ないし図７の本発明の第１の実施するための最良の形態において、この例に示す顔マスクは、図１に示すようカバー部１に、鼻該当位置に呼吸孔２が形成され、両側の側部より内部に奥まった位置に挿通部３が形成され、挿通部３に顔に固定するための止着部材４がマスクの上面にくるよう摺動自在に取り付けられ、呼吸孔２の上部に鼻頭から額にかけてＴ字型の形状保持部材５が配設され、目該当位置に目の孔９があけられることで構成される。
【００２９】
カバー部１は、厚みを特定する訳ではないが０．０２〜０．０３ミリ前後の通気性がなく柔軟性のあるポリエチレン等の合成樹脂等のシートをもって形成する。電磁波の通り易い部材を使用すると蒸し部材を温めるとき電子レンジを使用して短時間で手間を掛けずに温められ熱い顔蒸し部材に手を触れることなく取り扱える。通常物を保護するために使用する空気を挟み込んだシートは空気に保温効果があり電磁波も通し易いので使用すると良い。また、透明のシートを使用すると少し曇りは出るが目の孔９を形成しなくとも外部を見ることができるので、目該当位置にあけられる目の孔９は、開けても開けなくても良いものとする。
【００３０】
また、形は図２に示すように約３６×２８センチ前後のほぼ四角形の上端縁部と下端縁部の中央を山なりとして形成し、鼻該当位置に呼吸孔２を形成する。下端縁部より呼吸孔２に向って入れた切込線１２を切り離す。その時、切込線１２と下端縁部が交わる角１３を丸みを持たせて切り欠き、切れ欠き線１４とする。  切込線１２同士と切欠線１４同士を互いに重ね合わせて係合することにより鼻フッド１１が形成される。切欠線１４を延長し長めにして形成しておくことにより、係合した時の縁部の出来上がり線が凹むことがない。また、角１３に丸みを持たせて切り落とすことにより口から顎にかけてのマスクの形状が顎に近い形となる上に袋状にもなるので、蒸し部材を使用するとき、蒸し部材の絞り方が少しぐらい甘くとも、正面を向きながらの使用中、下部に溜まってきてしまうかもしれない湯が溢れることなく使い続けることができる。
【００３１】
尚、切込線１２の長さは任意とし、呼吸孔２まで切り込んでも途中で切り込みを中止しても良いものとし、鼻フッドおよび顎に沿わせたマスクの形状は型押しで一体成形してもよいものとする。また、切り込みを入れずに図３および図４に示すようそのままで形成しても良いものとする。
【００３２】
挿通部３は両側に形成され、側部より内側に約７センチ前後奥まった位置であって、上端縁部および下端縁部より内側に約３センチ前後奥まった位置に形成する。図２に示す所定の位置に止着部材４の出入口となる４個の孔６を明け、図５に示すよう裏７を取り付け孔６を内にして四方を係合して止着部材４がマスクの上面に出るよう摺動自在に取り付ける。
【００３３】
尚、カバー部１に孔６をあけて裏７を取り付けてもよいが、裏７と同じものに所定の位置になるよう孔６をあけ、カバー部１の表面に係合しても同様に作用させることが出来る。この裏７に当たるシートの部材に少し厚めのシートを使用すると、挿通部３の幅が止着部材４が滞りなく摺動されるに足る丁度良い幅で形成されていれば止着部材４による絞りを制限できるので横じわが出る率が低くなる。
【００３４】
形状保持部材５は、柔軟性がありながら形状が保持できるポリエチレン樹脂などの合成樹脂等を使用して鼻筋の上を通り額に位置するようＴ字型に形成され、呼吸孔２の上部に裏７を取り付けながら、図６に示すようカバー部１と裏７の間に挟んで取り付ける。
尚、全体を二枚仕立てにしたり、挿通部３から挿通部３までの間を二枚仕立てにしたりして止着部材４や形状保持部材５を挟み込んでも良いものとする。
止着部材４は、顔に合わせるための微調整ができる伸縮性のある素材であるゴム紐等を使用すると良く、挿通部３の中を通して摺動自在に取り付け、両端部をビーズ８の孔の中を通した上でビーズが落ちないよう端部を結合し、ビーズ８の移動により長さ調節ができるようにする。
尚、この例では止着部材を耳にかけて装着することになっているが、頭部に掛け渡して装着してもよいものとする。
【００３５】
挿通部３の外側になる耳側側部は、挿通部３を摺動する止着部材４により絞られてギャザーされることになるが、そのままだとまとまりがなくなるので図１に示すよう折り畳んだりギャザーしたりした状態で無理のない形状に固定させると良い。この部分は少し大きめに形成しておくと持ち手部分となり熱くなった蒸し部材を取り扱う時安心して取り扱うことができる。
【００３６】
使用方法としては、顔を蒸したい時には、水を含ませ軽く絞った蒸し部材をカバー部１の内部に挟み、電子レンジで約１分程度加熱してから顔に当て止着部材４を耳にかけて顔を蒸す。電磁波を通すために保温性を持たせないマスクにしてあるので、蒸し時間をより長く取りたいときは、アルミ箔等に保温性のある部材を裏打ちしたカバーを上から覆うと良い。顔を蒸したあと自分の肌にあった日常使用している化粧水をたっぷり肌につけ、その上に図７に示す水を含ませ軽く絞ったガーゼ１０を当てて顔マスクを被ると、ただガーゼを当てただけでは三分以上続けるとかえって肌から水分が蒸発して悪影響が出るが、顔マスクを被ることによりパックを長く続けていくことができる。顔蒸しをしたあとパックをすれば、血行もよくなり毛穴も開いて肌の吸収状態も良くなっている時なのでより高い効果を望むことができる。パック、顔蒸しと双方できるが時間に余裕のないときはパックするだけでもよい。
【００３７】
以後、本発明を実施するための異なる形態につき図１ないし図１０に基づいて説明するが、これらの本発明を実施するための異なる形態の説明に当たって、前記本発明の第１の実施するための最良の形態と同一構成部分には同一符号を付して重複する説明を省略する。
【実施例２】
【００３８】
本発明の第２の実施するための形態において、前記本発明の第１の実施するための最良の形態と主に異なる点は、形状保持部材５を配設せずに顔マスクを形成した点で、この様に構成した顔マスクにしても、止着部材４が顔を出す挿通部３の上部の孔６の位置を額の両脇近くに位置させることにより、また、挿通部３がマスクの中央寄りに形成されることや、挿通部３の裏７を少し厚めの部材で形成することにより止着部材４による絞りが少なくなるので、形状保持部材５を配設しなくとも横じわがそれほどできず、顔マスクを装着したとき顔に馴染むよう少し手を加えて整えることにより額の部分を顔にフィットさせ薄いパック剤でも外れ落ちることなく挟み置くことができ、前記本発明の第１の実施するための形態と同様な作業効果が得られる。
【実施例３】
【００３９】
図８および図１０に示す本発明の第３の実施するための形態において、前記本発明の第１および第２の実施するための形態と主に異なる点は、カバー部１’の両側部の辺部に挿通部３’を形成した点で、そうすることにより両側辺部を絞ると中心部に横じわが出来てしまって額の部分が下方にずれてきてしまい顔を覆っておくための形状を維持していることが出来なくなるが、形状保持部材５’を配設することにより顔全てを覆うことができ、額に当たる部分もずれずに額にフィットさせられ、薄いパック剤でも留めおくことができ、前記本発明の第１および第２の実施するための形態と同様な作業効果が得られる。
【００４０】
図８に示すようカバー部１’の両側辺部に挿通部３’を形成し、止着部材４’を挿通部３’に摺動自在に取り付け、呼吸孔２’の上部の鼻頭から額にかけて形成保持部材５’を配設する。
呼吸孔２から下端縁部にかけての形成の方法は、実施例１に記載されている方法と同様とする。
【図面の簡単な説明】
【００４１】
【図１】本発明を実施するための最良の第一の形態のマスクの斜視図
【図２】本発明を実施するための最良の第一の形態のマスクの展開図
【図３】本発明を実施するための第一の形態のマスクの斜視図
【図４】本発明を実施するための第一の形態のマスクの展開図
【図５】図２のＡ線に沿う断面図
【図６】図２のＢ線に沿う断面図
【図７】本発明で使用するガーゼの正面図
【図８】本発明を実施するための第三の形態のマスクの斜視図
【図９】本発明を実施するための第三の形態のマスクの展開図
【図１０】本発明を実施するための第三の形態のマスクの展開図
【符号の説明】
【００４２】
１    カバー部
２    呼吸孔
３    挿通部
４    止着部材
５    形状保持部材
６    孔
７    裏
８    ビーズ
９    目の孔
１０  ガーゼ
１１  鼻部フッド
１２  切込線
１３  角
１４  切欠線
【図１】
2008125708.tif 000003
【図２】
2008125708.tif 000004
【図３】
2008125708.tif 000005
【図４】
2008125708.tif 000006
【図５】
2008125708.tif 000007
【図６】
2008125708.tif 000008
【図７】
2008125708.tif 000009
【図８】
2008125708.tif 000010
【図９】
2008125708.tif 000011
【図１０】
2008125708.tif 000012